(57)【要約】      （修正有）【課題】歩道上に敷設される視覚障害者誘導用ブロックにおいて、マット状で小さいため敷設に時間が掛かる、特に位置表示の点状ブロックは規定に従い配置敷設しなければならないので手間が掛かり、さらに、歩道上に接着剤で固定するなど設置費用が掛かりすぎる問題があった。【解決手段】位置表示の目的である位置表示用点字シート１Ｂは、あらかじめ規定どうりに線状ブロック３と点状ブロック４を前記基材２に配置してあるので、工事現場で前記視覚障害者誘導用点字シート１を敷設するだけで所定の点字情報を設置することができるので、敷設時間を大幅に短縮できて有用である。そして、テープなどの止め具９で点字シート１間を連結するだけで歩道上に固定でき、接着剤等で接着する必要がないので、設置時間が大幅に短縮できるので短期間の工事現場での使用にも対応できるものである。【選択図】    図２
2004190462.tif 000002
【特許請求の範囲】
【請求項１】
滑り止めを施した基材２と、該基材２に複数の線状あるいは／および点状の突起物を形成して成る視覚障害者誘導用点字シート１において、進行方向を表示する線状ブロック３から成る進行表示の視覚障害者誘導用点字シート１Ａと、注意すべき位置を表示する目的の点状ブロック４と前記線状ブロック３を組み合わせて成る現状位置を表示する視覚障害者誘導用点字シート１Ｂの２種類からなり、路上工事現場の仮設歩道に並べて置くだけで必要で十分な点字情報を短時間で敷設でき、また、工事終了後現状のままで撤収することができ何回でも再利用することが可能である仮設式とした視覚障害者誘導用点字シート。
【請求項２】
前記線状及び点状の突起物の高さが５ｍｍ以上である前記請求項１記載の視覚障害者誘導用点字シート。
【請求項３】
前記基材２がシート状である前記請求項１及び２記載の視覚障害者誘導用点字シート。
【請求項４】
前記線状及び点状の突起物がゴムあるいはプラスチックから成る前記請求項１、２及び３記載の視覚障害者誘導用点字シート。
【請求項５】
線状突起６及び点状突起８がベースシート５と保護シート７の間に固定されるように封入されて形成された線状ブロック３または点状ブロック４を前記基材２上に複数設けられシート状と成った前記請求項１、２、３及び４記載の視覚障害者誘導用点字シート。
【請求項６】
基材２の一端に止め具９を設け、歩道上に設置した上記視覚障害者誘導用点字シート１を連結してずれないようにした前記請求項１、２、３、４及び５記載の視覚障害者誘導用点字シート。
【請求項７】
滑り止めを施した基材２と、該基材２に複数の線状突起６あるいは点状突起８から成る突起物を形成してシート状とする仮設式視覚障害者誘導用点字シート１において、
少なくとも３ｍｍ以上の厚さのプラスチック板あるいはゴム板を打ち抜き等の手段で帯状あるいは円形状の突起物とし、前記突起物をベースシート５と保護シート７の間に固定されるように封入して線状ブロック３及び点状ブロック４を形成し、該線状ブロック３および点状ブロック４を組み合わせて滑り止めを施したシート状の基材２に接着剤あるいは高周波ウエルダー等の方法で接着または融着して、複数の視覚障害者誘導用ブロック１０を形成してシート状とすることを特徴とした仮設式視覚障害者誘導用点字シート１の製造方法。
【発明の詳細な説明】
【０００１】
【発明の所属する技術分野】
本発明は、視覚障害者が通常の歩行状態に置いて、主に足の裏の触感覚でその存在及び大まかな形状を確認できるような突起を表面につけた視覚障害者誘導用ブロックに関する。
【０００２】
【従来の技術】
視覚障害者誘導用ブロックは、主に足の裏の触感覚を利用して、視覚障害者の利便性の向上に役立てることを基調として考察、開発されたもので、足の裏の触感覚以外にも白杖を通しての手の触感覚や、反射音等の聴感覚がある。また、弱視者等一部の視覚障害者は、視覚障害者誘導用ブロックの色（主として黄色）と周辺路面との色の違いによっても識別が可能である。
【０００３】
視覚障害者誘導用ブロックの種類及び形状は、「ＪＩＳ  Ｔ−９２５１」によって規定されており、線状ブロックと点状ブロックの２種類があり、寸法は、１片が３０ｃｍの正方形に統一されている。線状ブロックは、平行する線状突起をその表面につけた方向表示用ブロックで、主に誘導対象施設等の方向を示すもので、４本の線状突起を設けるよう統一されている。点状ブロックは、点状突起をその表面につけた位置表示用ブロックで、主に注意すべき位置や誘導対象施設等の位置を示すものであり、２５個の点状突起を設けるように統一されている。
【０００４】
視覚障害者誘導用ブロックは、視覚障害者の利便性の向上を計るために、視覚障害者の歩行上必要な歩道（自転車歩行車道、立体横断施設、横断歩道の途中にある中央分離帯を含む。）上に、現地での確認が容易で、しかも覚えやすい方法で設置するものとされている。設置方法は、接着剤に依る貼り付け型か路上への埋め込み型が一般型であり、どちらの方法も常設式であり、敷設に時間が掛かり利便性に欠けている課題があった。
【０００５】
【発明が解決しようとする課題】
視覚障害者誘導用ブロックが敷設された歩道を工事などの理由によって掘削したとき、仮設歩道を設けると共に、視覚障害者誘導用ブロックも敷設することが要求されている。しかし、現状の視覚障害者誘導用ブロックは、５ミリ厚の突起を持った一片が３００ミリの正方形のマット状のもので敷設に手間も掛かり、しかも常設式として設置される路上埋設型あるいは路面貼り付け型であるため、その敷設費用も高価となるため、工事が短期間或いは短時間である場合、費用及び手間の点から敷設し難いあるいは敷設できないなどの課題が指摘されていた。そのため、敷設時間を短縮できるように視覚障害者誘導用ブロックを複数組み合わせたシート状とし、歩道に並べて置くだけで敷設時間を短縮することを可能とし、しかも工事終了後現状のままで撤去することができ、何回でも再利用することを可能とした仮設式の視覚障害者誘導用ブロックが要望されていた。
【０００６】
本発明は、上記のような事情を鑑みてなされたもので、工事現場で並べて置くだけで簡単に点字ブロックを設置でき、しかも工事終了後現状のままで撤去することができ、再利用することを可能とした仮設式であり、シート状とした視覚障害者誘導用点字シートを提供しようとするものである。
【０００７】
本発明の他の目的は、安価に製造できる仮設式である視覚障害者誘導用点字シートの製造方法を提供することにある。
【０００８】
本発明のさらに他の目的は、以下の説明から明らかになろう。
【０００９】
【課題を解決するための手段】
本発明の仮設式である視覚障害者誘導用点字シート１（以下、単に点字シートと呼称する）は、凹凸を設けて滑り止めを施した黒色のＥＶＡ樹脂（エチレン酢酸ビニル共重合物）シートから成る基材２に、複数の線状ブロック３あるいは点状ブロック４の組み合わせを設けて成るもので、２種類の点字シート１がある。即ち、図１に示されるように、１つは進行方向を表示する線状ブロックを複数設けた点字シート１Ａであり、さらにもう一つは、図２に示されるように、線状ブロック３と点状ブロック４を複数組み合わせて設けた現状位置を表示する点字シート１Ｂである。
【００１０】
本発明の仮設式である点字シート１Ａと点字シート１Ｂは、適当に組み合わせて歩道に並べて置くだけで、図９に示されるように、工事現場１３の仮設歩道１２上に視覚障害者誘導用ブロック１１を簡単に設置することができる。現状位置を表示する点字シート１Ｂは、あらかじめ必要な点状ブロック及び線状ブロックが適切に配置されているので、現場で配置決めする時間を省け便利である。そのため、従来品の視覚障害者誘導用ブロック１１に比べ、敷設時間は大幅に短縮できて工事費を削減することができ、さらに、使用後は現状のままで撤収できるので、繰り返し何回でも再利用することができ、総合的に削減できるメリットがある。従って、短期間あるいは短時間の工事現場においても、シート状なので短時間で敷設することができ、しかも仮設式なので歩道に固定する必要がなく、全体的に設置費用も安くできるので使いやすく、工事現場の安全性の向上に役立つものである。
【００１１】
【発明の実施の形態】
以下、本発明を実施例に基づきさらに詳細に説明する。
【００１２】
【実施例】
本発明の仮設式である点字シート１は、凹凸を設けて滑り止めを施した黒色のＥＶＡ樹脂シート（エチレン酢酸ビニル共重合体）から成る基材２に、複数の線状ブロック３及び点状ブロック４の組み合わせを設けて成るもので、進行方向を表示する点字シート１Ａと現状位置を表示する点字シート１Ｂの２種類があり、この２種類の点字シート１の組み合わせによって全ての工事現場の仮設歩道に必要な点字情報を容易に、短時間に敷設でき、工事終了後には、迅速に、そして現状のままで撤収できるので、長期間にわたって繰り返し何回でも使用することが可能で、工事現場の安全に要する経費を大幅に削減できるものである。
【００１３】
本発明の点字シート１を構成する線状ブロック３は、厚み０、７５ｍｍで３０ｃｍ角のＥＶＡ樹脂のベースシート５に、５ｍｍ厚みで１２×２８０ｍｍの寸法の加硫ゴム板から成る平板状の線状突起６を４本両面テープ等で仮止めし、その上に、別の厚み２ｍｍで３０ｃｍ角のＥＶＡ樹脂の帆布シート（布地で強化されたＥＶＡ樹脂シート）から成る黄色の保護シート７を重ね、図３に示されるような金型を使用し高周波ウエルダーで融着加工されて製造される。前記線状ブロック３は、図１に示されるように、５ｍｍ厚みの線状突起６の４本を担持しており、夫々の線状突起６は、ベースシート５及び保護シート７の上下２枚のシートの間に封入され、強靭な保護シート７で保護されているので、外部の衝撃によって破壊されたり、剥離することは防止される。
【００１４】
また、ここで使用されている加硫ゴム板は、柔軟なのでシート状の点字シート１を丸めて保管することが可能となってり便利であり、しかも十分な硬度を持っているので、相当の重みによる変形にもたえられる。加硫ゴムは、本発明点字シート１にとって最も好ましい素材ではあるが、ポリウレタンなど他の材料であっても差し支えなく、加硫ゴムに限定されないことは言うまでもないが、耐熱性及び耐寒性のある材料が好ましい。また、本発明に使用される線状突起６及び点状突起８は、汎用の加硫ゴムから成る平板から打ち抜いて作られるので、加工も優しく加工費も安い。
【００１５】
同様に、本発明の点字シート１を構成する点状ブロック４は、厚み０、７５ｍｍで３０ｃｍ角のＥＶＡ樹脂のベースシート５に、５ｍｍ厚みで直径１２ｍｍの加硫ゴム板から成る円筒状の点状突起８を２５個両面テープ等で６ｃｍ間隔に仮止めし、その上に、別の厚み２ｍｍで３０ｃｍ角のＥＶＡ樹脂の帆布シート（布地で強化されたＥＶＡ樹脂シート）から成る黄色の保護シート７を重ね、図４に示されるような金型を用いて高周波ウエルダーで融着加工されて製造される。前記点状ブロック４は、図６に示されるように、５ｍｍ厚みからなる２５個の点状突起８を担持しており、前記夫々の点状突起８は、図８に示されるように、ベースシート５及び保護シート７から成る上下２枚のシートの間に封入され、強靭な保護シート７で保護されているので、外部の衝撃によって破壊されたり、剥離することは防止される。
【００１６】
本発明の点字シート１Ａは、一片が１メートルの正方形で、凹凸を設けて滑り止めを施した黒色のＥＶＡ樹脂シートから成る厚み２ｍｍの基材２の中央に、図１に示されるように、上記線状ブロック３の方向を一定に平行して三枚配置し、線状ブロック３の全ての端をウエルダー加工に依って上記基材２に熔融接着して完成される。
【００１７】
同様に、本発明の点字シート１Ｂは、一片が１メートルの正方形で、凹凸を設けて滑り取りを施したＥＶＡ樹脂シートから成る厚み２ｍｍの基材２に、図２に示されるように、上記線状ブロック３及び点状ブロック４を規定どおり配置して、前記線状ブロック３及び点状ブロック４の全ての端をウエルダー加工によって上記基材２に熔融接着して完成される。
【００１８】
前記に述べた本発明点字シート１に用いられたプラスチックシートやゴム板などの材料は、一つの実施例であり、本願発明の点字シート１の材料はこれらに限定されるものでないことは言うまでもない。
【００１９】
本発明の点字シート１には、歩道面に敷設した後動かないように、お互いを止め具９などで連結することが望ましい。止め具９としては、マジックテープ（図９においては図示せず）を用いるのが最も簡便であるが、特にこれに限定することは必要なく、ハトメを設けてロープで連結したり、フアスナーで連結する等他の止め具９などで連結されても差し支えない。
【００２０】
歩道工事現場１３において仮設歩道１２が設定されると、図９に示されるように、既設の視覚障害者誘導用ブロック１１に繋げて点字シート１Ａと点字シート１Ｂを組み合わせて敷設することによって、仮設歩道１２に点字情報を設置することができる。従来品の視覚障害者誘導用ブロック１１に比べて３倍の大きさを持ってるので、少なくとも３倍の速度で敷設することができて労力を削減でき、さらに、歩道へ埋設したり、歩道面へ貼り付けるなどの工程を省けるので、設置時間を大幅に短縮できる。そして、仮設式である本発明の点字シート１は、何回でも繰り返し再利用できるので、工事現場の安全に要する費用を大幅に低減できるものである。
【００２１】
さらに、仮設歩道１２に置いて敷設が最も多いのは進行方向を表示する視覚障害者誘導用ブロック１１であるが、複数の線状ブロック３から成る本発明の点字シート１Ａにおいては、３メートルまたは６メートル、あるいはそれ以上の長さに加工することは容易なので、長尺の点字シート１Ａを丸めて工事現場に搬入して歩道上に広げて置くだけで敷設することが可能になるので、さらに設置時間を短縮することもでき、短期間の工事現場でも気軽に使用できるメリットがでてくる。
【００２２】
前記実施例において記載した本発明の点字シート１の各部の数値は、あくまで参考例であって、本願発明における点字シート１の各部の数値はこれらの値に限定されないことは言うまでもない。
【００２３】
【発明の効果】
以上のように本発明は、
（イ）汎用の材料で製造されるので材料費が安く、切断、打ち抜き、高周波ウエルダー加工など汎用の加工技術の組み合わせで加工されるので加工費も安く、結果として安価な視覚障害者誘導用ブロックをシート状で提供できる、
（ロ）工事現場において、路面に並べて置くだけで敷設できるので、視覚障害者誘導用ブロックの設置コストを低減できる、
（ハ）仮設式なので、使用後は現状のままで撤収できるため、繰り返し何回でも再利用することができる、
（ニ）必要があれば、さらに長尺の点字シート１Ａとすれば、敷設・撤収の手間をさらに大幅に低減できるので、工事現場で使用いやすい、
等優れた効果を得られるものである。
【図面の簡単な説明】
【図１】本発明の視覚障害者誘導用点字シート（線状ブロックタイプ）１Ａの平面図。
【図２】本発明の視覚障害者誘導用点字シート（配置ブロックタイプ）１Ｂの平面図。
【図３】本発明の視覚障害者誘導用点字シートを構成する線状ブロックの融着加工に使用される高周波ウエルダーの金型の平面図。
【図４】本発明の視覚障害者誘導用点字シートを構成する点状ブロックの融着加工に使用される高周波ウエルダーの金型の平面図。
【図５】本発明の視覚障害者誘導用点字シートを構成する線状ブロックの平面図。
【図６】図５のＶＩ−ＶＩ線における拡大断面図の一部である。
【図７】本発明の視覚障害者誘導用点字シートを構成する点状ブロックの平面図。
【図８】図６のＶＩＩ−ＶＩＩ線における拡大断面図の一部である。
【図９】歩道工事現場に敷設された本発明視覚障害者誘導用点字シート１Ａ及び１Ｂの配置見取り図である。
【符号の説明】
１Ａ  線状ブロックタイプの視覚障害者誘導用点字シート
１Ｂ  組み合わせブロックタイプの視覚障害者誘導用点字シート
２    基材
３    線状ブロック
４    点状ブロック
５    ベースシート
６    線状突起
７    保護シート
８    点状突起
９    止め具
【図１】
2004190462.tif 000003
【図２】
2004190462.tif 000004
【図３】
2004190462.tif 000005
【図４】
2004190462.tif 000006
【図５】
2004190462.tif 000007
【図６】
2004190462.tif 000008
【図７】
2004190462.tif 000009
【図８】
2004190462.tif 000010
【図９】
2004190462.tif 000011